(57)【要約】      （修正有）【課題】運搬性を向上させることができるソファーを提供する。【解決手段】ソファーは、１人分の座面領域を有する直方体形状の座体と、座体の後端部から立設されるように座体に連結可能であり、１人分の背面領域を有する直方体形状の背凭れ体とを備える。そして、背面領域が座面領域の上方に臨むように座体本体５と背凭れ体本体１１とを背凭れ体本体に設けた凸部１６と座体本体の背面に設けた係合凹部１５により着脱可能に連結する。左右の肘掛体１７，１８も同様に着脱可能に連結し、１人掛けソファーを構成する。【選択図】図２
0003185571.tif 000002
【実用新案登録請求の範囲】
【請求項１】
１人分の座面領域を有する直方体形状の座体と、
前記座体の一端部から立設されるように前記座体に連結可能であり、１人分の背面領域を有する直方体形状の背凭れ体とを備え、
前記背面領域が前記座面領域の上方に臨むように前記座体と前記背凭れ体とを係合により着脱可能に連結することで、１人掛けソファーを構成することを特徴とするソファー。
【請求項２】
１人分の座面領域を有する直方体形状の座体と、前記座体の一端部から立設されるように前記座体に連結可能であり、１人分の背面領域を有する直方体形状の背凭れ体とを有する複数のユニットを備え、
前記複数のユニットそれぞれで前記背面領域が前記座面領域の上方に臨むように前記第１座体と前記背凭れ体とを係合により着脱可能に連結するとともに、前記背凭れ体の背面領域が同一方向を向くように前記複数のユニットを一列に配置した状態で前記複数のユニットのうち隣り合うユニット同士を着脱可能に連結することで、複数人掛けソファーを構成することを特徴とするソファー。
【請求項３】
前記座体における前記背凭れ体との対向面、および、前記背凭れ体における前記座体との対向面の一方に上方に開口する少なくとも一つの係合凹部が設けられ、他方に下方に突出する少なくとも一つの係合凸部が設けられて、
前記座体と前記背凭れ体とが、それぞれの前記少なくとも一つの係合凹部と前記少なくとも一つの係合凸部とを係合させることで着脱可能に連結されることを特徴とする請求項１または請求項２に記載のソファー。
【請求項４】
前記複数のユニットが、それぞれ、前記ソファーの幅方向一側面に上方に開口する係合凹部を備えるとともに、前記ソファーの幅方向他側面に下方に突出する係合凸部を備え、
前記隣り合うユニットが、一方のユニットの前記少なくとも一つの係合凹部と他方のユニットの前記少なくとも一つの係合凸部とを係合させることで着脱可能に連結されることを特徴とする請求項２に記載のソファー。
【請求項５】
前記ソファーの幅方向で最外側に位置する、前記座体および／または前記背凭れ体の側面に、直方体形状の肘掛け体が着脱可能に連結されることを特徴とする請求項１ないし請求項４のいずれか一項に記載のソファー。
【考案の詳細な説明】
【技術分野】
【０００１】
本考案は、ソファーに関する。
【背景技術】
【０００２】
従来、座体と背凭れ体とを一体連結してなるソファーが知られている。この種のソファーは、当然ながら１人掛けソファー、二人掛けソファー、三人掛けソファーといったように、同時に並んで腰掛けることができる利用者の数が多くなるものほど、サイズおよび重量が大きくなるものとなっている。
【考案の概要】
【考案が解決しようとする課題】
【０００３】
従来のようなソファーは、１人掛けソファーであれ複数人掛けソファーであれ、当該ソファーの運搬者にとってサイズおよび重量が大きくなりがちなものであった。そのため、前記ソファーの運搬が困難となる場合があった。また、座体と背凭れ体との間に形成される空間のために、前記ソファーの梱包時にデッドスペースが発生して梱包物が嵩張ることも、前記ソファーの運搬を困難にする要因となっていた。
【０００４】
本考案は、このような問題を解決するためになされたものであり、運搬性を向上させることができるソファーを提供することを目的とする。
【課題を解決するための手段】
【０００５】
請求項１に係る考案は、１人分の座面領域を有する直方体形状の座体と、前記座体の一端部から立設されるように前記座体に連結可能であり、１人分の背面領域を有する直方体形状の背凭れ体とを備え、前記背面領域が前記座面領域の上方に臨むように前記座体と前記背凭れ体とを係合により着脱可能に連結することで、１人掛けソファーを構成することを特徴とするソファーである。
【０００６】
請求項２に係る考案は、１人分の座面領域を有する直方体形状の座体と、前記座体の一端部から立設されるように前記座体に連結可能であり、１人分の背面領域を有する直方体形状の背凭れ体とを有する複数のユニットを備え、前記複数のユニットそれぞれで前記背面領域が前記座面領域の上方に臨むように前記第１座体と前記背凭れ体とを係合により着脱可能に連結するとともに、前記背凭れ体の背面領域が同一方向を向くように前記複数のユニットを一列に配置した状態で前記複数のユニットのうち隣り合うユニット同士を着脱可能に連結することで、複数人掛けソファーを構成することを特徴とするソファーである。
【０００７】
請求項３に係る考案は、請求項１又は請求項２に記載のソファーにおいて、前記座体における前記背凭れ体との対向面、および、前記背凭れ体における前記座体との対向面の一方に上方に開口する少なくとも一つの係合凹部が設けられ、他方に下方に突出する少なくとも一つの係合凸部が設けられて、前記座体と前記背凭れ体とが、それぞれの前記少なくとも一つの係合凹部と前記少なくとも一つの係合凸部とを係合させることで着脱可能に連結されることを特徴とするものである。
【０００８】
請求項４に係る考案は、請求項２に記載のソファーにおいて、前記複数のユニットが、それぞれ、前記ソファーの幅方向一側面に上方に開口する係合凹部を備えるとともに、前記ソファーの幅方向他側面に下方に突出する係合凸部を備え、前記隣り合うユニットが、一方のユニットの前記少なくとも一つの係合凹部と他方のユニットの前記少なくとも一つの係合凸部とを係合させることで着脱可能に連結されることを特徴とするものである。
【０００９】
請求項５に係る考案は、請求項１ないし請求項４のいずれか一項に記載のソファーにおいて、前記ソファーの幅方向で最外側に位置する、前記座体および／または前記背凭れ体の側面に、直方体形状の肘掛け体が着脱可能に連結されることを特徴とするものである。
【考案の効果】
【００１０】
請求項１に係る考案によれば、座体および背凭れ体を係合連結するだけで１人掛けソファーを簡単に組み立てることができる。そのうえで、このソファーの運搬時には前記座体および前記背凭れ体を簡単に分離して、それぞれを別個に梱包して運搬することが可能となり、梱包物を軽量で全体的に嵩張りにくいものにできる。しかも、前記座体および前記背凭れ体をそれぞれ直方体形状としているので、梱包に際し、デッドスペースが発生しにくくなるようにして、前記座体と前記背凭れ体をコンパクトに梱包できる。その結果、運搬車等の収容スペースに梱包物をコンパクトに収容することも可能である。よって、前記ソファーの運搬性を向上させることができる。
【００１１】
請求項２に係る考案によれば、座体および背凭れ体を係合連結するだけで各ユニットを簡単に組み立てることができ、そして組み立てられた複数のユニットを連結することでユニット数に応じた複数人掛けソファーを組み立てることができる。そのうえで、このソファーの運搬時には前記複数のユニットを互いに分離し、さらには前記各ユニットにおける前記座体および前記背凭れ体を簡単に分離して、それぞれの部材を別個に梱包して運搬することが可能となり、梱包物を軽量で全体的に嵩張りにくいものにできる。しかも、前記各ユニットにおいて、前記座体および前記背凭れ体をそれぞれ直方体形状としているので、梱包に際し、デッドスペースが発生しにくくなるようにして、前記座体と前記背凭れ体をコンパクトに梱包できる。その結果、運搬車等の収容スペースに梱包物をコンパクトに収容することも可能である。よって、前記ソファーの運搬性を向上させることができる。
【００１２】
請求項３に係る考案によれば、前記ソファーの組立および分離を容易に行うことができる。また、組立後の前記ソファーに利用者が腰掛けた際に、幅方向に関して前記座体と前記背凭れ体とが相対的に位置ズレすることを防止できる。
【００１３】
請求項４に係る考案によれば、前記ソファーの組立および分離を容易に行うことができる。また、組立後の前記ソファーに利用者が腰掛けた際に、奥行き方向に関して前記隣り合うユニットが相対的に位置ズレすることを防止できる。
【００１４】
請求項５に係る考案によれば、前記ソファーの運搬性を大きく損なうことなく、前記ソファーの利用性の向上を図ることができる。
【図面の簡単な説明】
【００１５】
【図１】本考案の第１実施形態に係るソファーの斜視図。
【図２】本考案の第１実施形態に係るソファーの分解斜視図。
【図３】本考案の第１実施形態に係るソファーにおいて座体と背凭れ体とを連結する工程を説明する図。（ａ）一部拡大図を含む斜視図。（ｂ）断面側面図。
【図４】本考案の第１実施形態に係るソファーにおいて座体および背凭れ体と左肘掛け体とを連結する工程を説明する図。（ａ）斜視図。（ｂ）正面図。
【図５】本考案の第１実施形態に係るソファーにおいて座体および背凭れ体と右肘掛け体とを連結する工程を説明する図。（ａ）斜視図。（ｂ）正面図。
【図６】本考案の第１実施形態に係るソファーの梱包時における梱包態様を説明する図。（ａ）座体に関する図。（ｂ）背凭れ体に関する図。（ｃ）一対の肘掛け体に関する図。
【図７】本考案の第２実施形態に係るソファーの斜視図。
【図８】本考案の第２実施形態に係るソファーの分解斜視図。
【図９】本考案の第２実施形態に係るソファーにおいて隣り合うユニットを連結する工程を説明する図。（ａ）斜視図。（ｂ）正面図。
【考案を実施するための形態】
【００１６】
［第１実施形態］
まず、本考案の第１実施形態について添付図面を参照しつつ説明する。
【００１７】
図１に、本考案の第１実施形態に係るソファー１の斜視図を示す。図２に、前記ソファー１の分解斜視図を示す。なお、図中、矢印Ｘは前記ソファー１の奥行き方向前側を指し、矢印Ｙは前記ソファー１の幅方向左側を指し、矢印Ｚは前記ソファー１の高さ方向上側を指している。
【００１８】
図１、図２に示すように、本考案の第１実施形態に係る前記ソファー１は、１人掛けソファーである。前記ソファー１は、座体２と背凭れ体３とを備えている。前記ソファー１は、前記座体２と前記背凭れ体３とに分離され得るように構成されている。また、前記ソファー１は、分離状態の前記座体２と前記背凭れ体３とを係合により着脱可能に連結することで、１人掛けソファーとして組み立てられ得るように構成されている。
【００１９】
前記座体２は、１人分の座面領域４を有するものであり、直方体形状に形成されている。前記座体２は、その略水平面の上面を前記座面領域４として、この座面領域４が１人の利用者が腰掛け得るように幅方向（左右方向）に所定の幅を有し、かつ奥行き方向（前後方向）に所定の奥行きを有するように構成されている。また、前記座体２は、高さ方向（上下方向）に所定の高さを有するように構成されている。
【００２０】
本実施形態において、前記座体２は、直方体形状の座体本体５と、前記座体本体５と同程度の幅および奥行きを有する直方体形状のクッション材６とを備えている。前記座体２は、前記座体本体５と前記クッション材６とに分離され得る構成とされている。また。前記座体２は、分離状態の前記座体本体５の上面に前記クッション材６を重ね合わせて載置することで全体として直方体形状を呈するように組み立てられ得る構成とされている。
【００２１】
前記背凭れ体３は、１人分の背面領域７を有するものであり、直方体形状に形成されている。前記背凭れ体３は、前記座体２との連結時に前記座面領域４の上方を向く面を前記背面領域７として、この背面領域７が１人の利用者の背の少なくとも一部を凭れさせ得るように幅方向（左右方向）に所定の幅を有し、かつ高さ方向に所定の高さを有するように構成されている。また、前記背凭れ体３は、奥行き方向に所定の奥行きを有するように構成されている。
【００２２】
前記背凭れ体３は、前記座体２の後端部から立設されるように前記座体２に連結可能に構成とされている。本実施形態において、前記背凭れ体３は、奥行き方向に関して前記座体２の後面と対向し得る対向面を有し、この対向面を前記座体２の後面からなる対向面の少なくとも一部に略接触させた状態で前記座体２に連結可能に構成されている。
【００２３】
本実施形態において、前記背凭れ体３は、その前面上側に切欠部１０を有する背凭れ体本体１１と、前記切欠部１０内に配置され得る直方体形状のクッション材１２とを備えている。前記背凭れ体３は、前記背凭れ体本体１１と前記クッション材１２とに分離され得る構成とされている。また、前記背凭れ体３は、分離状態の前記背凭れ体本体１１における前記切欠部１０内に前記クッション材１２を配置することで全体として直方体形状を呈するように組み立てられ得る構成とされている。
【００２４】
なお、本考案における座体は、本実施形態においては互いに分離可能な前記座体本体５および前記クッション材６を有する前記座体２とされているが、これに限定されるものではなく、たとえば単体からなるものであってもよい。同様に、本考案における背凭れ体は、本実施形態においては互いに分離可能な前記背凭れ体本体１１および前記クッション材１２を有する前記背凭れ体３とされているが、これに限定されるものではなく、たとえば単体からなるものであってもよい。
【００２５】
図３（ａ）に、前記ソファー１において前記座体２と前記背凭れ体３とを連結する工程を説明する斜視図を示す。図３（ｂ）に、前記ソファー１において前記座体２と前記背凭れ体３とを連結する工程を説明する断面側面図を示す。
【００２６】
図２、図３（ａ）、図３（ｂ）に示すように、本実施形態においては、前記座体２における前記背凭れ体３との対向面、および、前記背凭れ体３における前記座体２との対向面の一方に上方に開口する少なくとも一つの係合凹部１５が設けられ、他方に下方に突出する少なくとも一つの係合凸部１６が設けられている。ここで、前記少なくとも一つの係合凹部１５と前記少なくとも一つの係合凸部１６とは、互いに係合可能に構成されている。
【００２７】
具体的には、前記座体２の対向面の一部をなす前記座体本体５の後面８に２つの係合凹部１５・１５が設けられ、前記背凭れ体３の対向面の一部をなす前記背凭れ体本体１１の前面下側部分９に２つの係合凸部１６・１６が設けられている。前記２つの係合凸部１６・１６は、それぞれ対応する係合凹部１５・１５に略同時に係合し得るように、前記ソファー１の幅方向に関して所定間隔を隔てて配置されている。
【００２８】
そして、前記座体本体５側の前記２つの係合凹部１５・１５と前記背凭れ体本体１１側の前記２つの係合凸部１６・１６とが係合することにより、前記座体本体５と前記背凭れ体本体１１とが着脱可能に連結されるようになっている。すなわち、前記背面領域７が前記座面領域４の上方に臨むように前記座体２と前記背凭れ体３とが着脱可能に連結されるようになっている。
【００２９】
なお、本考案における座体と背凭れ体との連結は、本実施形態においては前記少なくとも一つの係合凹部１５および前記少なくとも一つの係合凸部１６による係合連結とされているが、これに限定されるものではなく、前記座体と前記背凭れ体とを係合により着脱可能に連結できるものであればよい。
【００３０】
また、図１、図２に示すように、本実施形態において、前記ソファー１は、一対の肘掛け体１７・１８を備えている。前記一対の肘掛け体１７・１８は、直方体形状の同一部材から構成されている。前記一対の肘掛け体１７・１８のうち、一方は左肘掛け体１７として前記ソファー１の左部に備えられ、他方は右肘掛け体１８として前記ソファー１の右部に備えられている。
【００３１】
前記左肘掛け体１７および前記右肘掛け体１８は、それぞれ、前記座体２と前記背凭れ体３とが連結された状態における両者の奥行きを足し合わせた幅と同程度の奥行きを有し、かつ前記座体２よりも大きくかつ前記背凭れ体３よりも小さい高さを有するように構成されている。また、前記左肘掛け体１７は、所定の幅を有するように構成されている。
【００３２】
前記左肘掛け体１７は、前記ソファー１の幅方向に関して最外側に位置する、前記座体２および前記背凭れ体３の少なくとも一方の左側面（本実施形態においては両者の左側面）に着脱可能に連結され得るようになっている。そして、前記左肘掛け体１７は、その連結時に上面が前記ソファー１の高さ方向に関して前記座体２の上面と前記背凭れ体３の上面との間に配置されるようになっている。
【００３３】
前記右肘掛け体１８は、前記ソファー１の幅方向に関して最外側に位置する、前記座体２および前記背凭れ体３の少なくとも一方の右側面（本実施形態においては両者の右側面）に着脱可能に連結され得るようになっている。そして、前記右肘掛け体１８は、その連結時に上面が前記左肘掛け体１７の上面と略同一平面上に配置されるようになっている。
【００３４】
図４（ａ）に、前記ソファー１において前記座体２および前記背凭れ体３と前記左肘掛け体１７とを連結する工程を説明する斜視図を示す。図４（ｂ）に、前記ソファー１において前記座体２および前記背凭れ体３と前記左肘掛け体１７とを連結する工程を説明する正面図を示す。
【００３５】
図２、図４（ａ）、４（ｂ）に示すように、本実施形態において、前記座体２および前記背凭れ体３における前記左肘掛け体１７との対向面、および、前記左肘掛け体１７における前記座体２および前記背凭れ体３との対向面の一方に上方に開口する少なくとも一つの係合凹部１５が設けられ、他方に下方に突出する少なくとも一つの係合凸部１６が設けられている。
【００３６】
具体的には、前記座体２および前記前記背凭れ体３の対向面の一部をなす前記座体本体５および前記背凭れ体本体１１の左面に３つの係合凹部１５・１５・１５が設けられ、前記左肘掛け体１７の対向面である右面に３つの係合凸部１６・１６・１６が設けられている。前記３つの係合凸部１６・１６・１６は、それぞれ対応する係合凹部１５に略同時に係合し得るように、前記ソファー１の奥行き方向に関して所定間隔毎に配置されている。
【００３７】
そして、前記座体本体５および前記背凭れ体本体１１側の前記３つの係合凹部１５・１５・１５と前記左肘掛け体１７側の前記３つの係合凸部１６・１６・１６とが係合することにより、前記座体本体５および前記背凭れ体本体１１と前記左肘掛け体１７とが着脱可能に連結されるようになっている。すなわち、前記座体２および前記背凭れ体３と前記前記左肘掛け体１７とが着脱可能に連結されるようになっている。
【００３８】
図５（ａ）に、前記ソファー１において前記座体２および前記背凭れ体３と前記右肘掛け体１８とを連結する工程を説明する斜視図を示す。図５（ｂ）に、前記ソファー１において前記座体２および前記背凭れ体３と前記右肘掛け体１８とを連結する工程を説明する正面図を示す。
【００３９】
図２、図５（ａ）、図５（ｂ）に示すように、本実施形態においては、前記座体２および前記背凭れ体３における前記右肘掛け体１８との対向面、および、前記右肘掛け体１８における前記座体２および前記背凭れ体３との対向面の一方に上方に開口する少なくとも一つの係合凹部１５が設けられ、他方に下方に突出する少なくとも一つの係合凸部１６が設けられている。
【００４０】
具体的には、前記座体２および前記前記背凭れ体３の対向面の一部をなす前記座体本体５および前記背凭れ体本体１１の右面に３つの係合凸部１６・１６・が設けられ、前記右肘掛け体１８の対向面である左面に３つの係合凹部１５・１５・１５が設けられている。前記３つの係合凸部１６・１６・１６は、それぞれ対応する係合凹部１５に略同時に係合し得るように、前記ソファー１の奥行き方向に関して所定間隔毎に配置されている。
【００４１】
そして、前記座体本体５および前記背凭れ体本体１１側の前記３つの係合凸部１６・１６・１６と前記右肘掛け体１８側の前記３つの係合凹部１５・１５・１５とが係合することにより、前記座体本体５および前記背凭れ体本体１１と前記右肘掛け体１８とが着脱可能に連結されるようになっている。すなわち、前記座体２および前記背凭れ体３と前記前記右肘掛け体１８とが着脱可能に連結されるようになっている。
【００４２】
なお、本考案における肘掛け体と前記座体および前記背凭れ体との連結は、本実施形態においては前記少なくとも一つの係合凹部１５および前記少なくとも一つの係合凸部１６による係合連結とされているが、これに限定されるものではなく、たとえばボルトによる連結であってもよい。
【００４３】
図６に、前記ソファー１の梱包時における梱包態様を説明する図を示す。ここで、（ａ）は前記座体２に関する図であり、（ｂ）は前記背凭れ体３に関する図であり、（ｃ）は前記一対の肘掛け体１７・１８に関する図である。
【００４４】
図６（ａ）、図６（ｂ）、図６（ｃ）に示すように、本実施形態においては、前記ソファー１の運搬に際し、分離状態の前記座体２（前記背凭れ体本体１１および前記クッション材１２）、前記背凭れ体３（前記背凭れ体本体１１および前記クッション材１２）、および前記一対の肘掛け体１７・１８を個別に運搬し得るように、複数の四角箱状の梱包箱２１・２２・２３が用意される。
【００４５】
そして、前記座体２の前記背凭れ体本体１１および前記クッション材１２が一組として前記梱包箱２１に収容されて梱包され、前記背凭れ体３の前記背凭れ体本体１１および前記クッション材１２が一組として前記梱包箱２２に収容されて梱包されるようになっている。また、前記一対の肘掛け体１７・１８が一組として前記梱包箱２３に収容されて梱包されるようになっている。
【００４６】
以上のような構成により、本実施形態においては、前記座体２および前記背凭れ体３を係合連結するだけで１人掛けソファーである前記ソファー１を簡単に組み立てることができる。そのうえで、このソファー１の運搬時には前記座体２および前記背凭れ体３を簡単に分離して、それぞれを別個に梱包して運搬することが可能となり、梱包物を軽量で全体的に嵩張りにくいものにできる。しかも、前記座体２および前記背凭れ体３をそれぞれ直方体形状としているので、梱包に際し、デッドスペースが発生しにくくなるようにして、前記座体２と前記背凭れ体３をコンパクトに梱包できる。その結果、運搬車等の収容スペースに梱包物をコンパクトに収容することも可能である。よって、前記ソファー１の運搬性を向上させることができる。
【００４７】
さらに、本実施形態においては、前記一対の肘掛け体１７・１８を備えるので、前記ソファー１の利用性の向上を図ることができる。ここでは、前記一対の肘掛け体１７・１８を前記座体２および前記背凭れ体３とは別個に梱包して運搬することが可能となり、梱包物を全体的に嵩張りにくいものにできる。しかも、前記一対の肘掛け体１７・１８をそれぞれ直方体形状としているので、梱包に際し、デッドスペースが発生しにくくなるようにして、前記一対の肘掛け体１７・１８をコンパクトに梱包できる。その結果、運搬車等の収容スペースに梱包物をコンパクトに収容することも可能である。よって、前記一対の肘掛け体１７・１８を備えた場合であっても、前記ソファー１の運搬性が大きく損なわれることはない。
【００４８】
また、本実施形態においては、前記座体２と前記背凭れ体３との連結に関し、前記係合凹部１５および前記係合凸部１６を用いた連結手段を採用するので、前記ソファー１の組立および分離を容易に行うことができる。しかも、組立後の前記ソファー１に利用者が腰掛けた際に、幅方向に関して前記座体２と前記背凭れ体３とが相対的に位置ズレすることを防止できる。
【００４９】
［第２実施形態］
次に、本考案の第２実施形態について添付図面を参照しつつ説明する。
【００５０】
図７に、本考案の第２実施形態に係るソファー３１の斜視図を示す。図８に、前記ソファー３１の分解斜視図を示す。なお、各図において第１実施形態と同一の符号を付した部材は、同一または実質的に同一の部材であることを示し、適宜、その説明を省略する。
【００５１】
本実施形態に係る前記ソファー３１は、複数人掛け（本実施形態においては３人掛け）ソファーであり、この点で１人掛けソファーである第１実施形態に係る前記ソファー１と相違している。
【００５２】
図７、図８に示すように、前記ソファー３１は、１人の利用者に対応する複数（３つ）のユニット３２・３２・３２を備えている。前記各ユニット３２は、座体２と背凭れ体３とを備えている。前記ソファー３１は、前記各ユニット３２毎に分離され得るように構成されている。また、前記ソファー３１は、分離状態の前記複数のユニット３２・３２・３２を適宜連結することで、複数人掛けソファーとして組み立てられ得るように構成されている。
【００５３】
前記ソファー３１の組立に際しては、第１実施形態と同様に前記各ユニット３２における前記座体２と前記背凭れ体３とが係合により着脱可能に連結されるとともに、前記背凭れ体３・３・３の背面領域７・７・７が同一方向（前方）を向くように前記複数のユニット３２・３２・３２が一列に配置され状態で、前記複数のユニット３２・３２・３２のうち隣り合うユニット３２・３２同士が着脱可能に連結されるようになっている。
【００５４】
なお、本実施形態に係る前記ソファー３１は、前記複数のユニット３２・３２・３２における前記座体２・２・２および前記背凭れ体３・３・３を同一部材とすることで、低コスト化を図るものであるが、本考案においては各ユニット毎に座体および背凭れ体を適宜異なるものとしてもよい。
【００５５】
図９（ａ）に、前記ソファー３１において隣り合うユニットを連結する工程の斜視図を示す。図９（ｂ）に、前記ソファー３１において隣り合うユニットを連結する工程の正面図を示す。
【００５６】
図８、図９（ａ）、図９（ｂ）に示すように、本実施形態においては、前記各ユニット３２における前記ソファー３１の幅方向一側面に上方に開口する少なくとも一つの係合凹部１５が設けられ、前記ソファー３１の幅方向他側面に下方に突出する少なくとも一つの係合凸部１６が設けられている。
【００５７】
具体的には、前記各ユニット３２の一側面をなす前記座体２および前記背凭れ体３の左側面に３つの係合凹部１５・１５・１５が設けられ、前記各ユニット３２の他側面をなす前記座体２および前記背凭れ体３の右側面に３つの係合凸部１６・１６・１６が設けられている。前記３つの係合凸部１６・１６・１６は、それぞれ対応する他のユニット３２の係合凹部１５・１５・１５に略同時に係合し得るように、前記ソファー１の奥行き方向に関して所定間隔毎に配置されている。
【００５８】
そして、前記ソファー３１の幅方向で隣り合うユニット３２・３２において、一方のユニット３２の前記３つの係合凹部１５・１５・１５と他方のユニット３２の前記３つの係合凸部１６・１６・１６とが係合することにより、前記隣り合うユニット３２・３２同士が着脱可能に連結されるようになっている。
【００５９】
なお、本考案における隣り合うユニット同士の連結は、本実施形態においては前記少なくとも一つの係合凹部１５および前記少なくとも一つの係合凸部１６による係合連結とされているが、これに限定されるものではなく、たとえば、ボルトによる連結であってもよい。要するに、連結の仕方は、前記隣り合うユニット同士を着脱可能に連結できるものであればよい。
【００６０】
また、図７、図８に示すように、本実施形態において、前記ソファー３１は、一対の肘掛け体１７・１８をさらに備えている。前記一対の肘掛け体１７・１８うち、一方は左肘掛け体１７として、複数のユニット３２・３２・３２のなかで最も幅方向左側に位置するユニット３２の左側面に着脱可能に連結され、他方は右肘掛け体１８として、複数のユニット３２・３２・３２のなかで最も幅方向右側に位置するユニット３２の右側面に着脱可能に連結され得るように構成されている。
【００６１】
なお、前記一対の肘掛け体１７・１８の対応するユニット３２への連結の仕方は、前記少なくとも一つの係合凹部１５および前記少なくとも一つの係合凸部１６を用いた第１実施形態と同様であることから、その説明は省略する。
【００６２】
以上のような構成により、本実施形態においては、前記座体２および前記背凭れ体３を係合連結するだけで前記各ユニット３２を簡単に組み立てることができ、そして組み立てられた前記複数のユニット３２・３２・３２を連結することでユニット数に応じた複数人（３人）掛けソファーである前記ソファー３１を組み立てることができる。そのうえで、このソファー３１の運搬時には前記複数のユニット３２・３２・３２を互いに分離し、さらには前記各ユニット３２における前記座体２および前記背凭れ体３を簡単に分離して、それぞれの部材を別個に梱包して運搬することが可能となり、梱包物を軽量で全体的に嵩張りにくいものにできる。しかも、前記各ユニット３２において、前記座体２および前記背凭れ体３をそれぞれ直方体形状としているので、梱包に際し、デッドスペースが発生しにくくなるようにして、前記座体２と前記背凭れ体３をコンパクトに梱包できる。その結果、運搬車等の収容スペースに梱包物をコンパクトに収容することも可能である。よって、前記ソファー３１の運搬性を向上させることができる。
【００６３】
さらに、前記ソファー３１に関しては、ユニット３２の数を増減させるだけで、同時に並んで腰掛けることができる利用者の数（何人掛けソファーであるか）を変更できる。したがって、前記ソファー３１を５人掛けソファーに変更したい場合や、２人掛けソファーに変更したい場合などには、前記ソファー３１全部を別のソファーに交換するのではなく、ユニット３２の数を増加または減少させるだけで済むため、変更を低コストで実現でき、またこの際に必要な運搬も容易に行うことができる。
【００６４】
また、本実施形態においては、前記一対の肘掛け体１７・１８を備えるので、前記ソファー３１の利用性の向上を図ることができる。ここでは、前記一対の肘掛け体１７・１８を前記各ユニット３２における前記座体２および前記背凭れ体３とは別個に梱包して運搬することが可能となり、梱包物を全体的に嵩張りにくいものにできる。しかも、前記一対の肘掛け体１７・１８をそれぞれ直方体形状としているので、梱包に際し、デッドスペースが発生しにくくなるようにして、前記一対の肘掛け体１７・１８をコンパクトに梱包できる。その結果、運搬車等の収容スペースに梱包物をコンパクトに収容することも可能である。よって、前記一対の肘掛け体１７・１８を備えた場合であっても、前記ソファー３１の運搬性が大きく損なわれることはない。
【００６５】
また、本実施形態においては、前記隣り合うユニット３２・３２同士の連結に関し、前記係合凹部１５および前記係合凸部１６を用いた連結手段を採用するので、前記ソファー３１の組立および分離を容易に行うことができる。しかも、組立後の前記ソファー３１に利用者が腰掛けた際に、奥行き方向に関して前記隣り合うユニット３２・３２が相対的に位置ズレすることを防止できる。
【００６６】
なお、本考案における座体および背凭れ体の直方体形状とは、完全な直方体の形状だけを意味するものではなく、おおむね直方体を呈する形状を含むものである。つまり、本考案における座体および背凭れ体は、たとえば、利用性を向上させるために、角や面に丸みを有する形状のものであってもよいし、いずれかの面から所定量だけ突出する部分を有する形状のものであってもよい。
【符号の説明】
【００６７】
１    ソファー
２    座体
３    背凭れ体
４    座面領域
７    背面領域
１５  係合凹部
１６  係合凸部
３１  ソファー
３２  ユニット
【図１】
0003185571.tif 000003
【図２】
0003185571.tif 000004
【図３】
0003185571.tif 000005
【図４】
0003185571.tif 000006
【図５】
0003185571.tif 000007
【図６】
0003185571.tif 000008
【図７】
0003185571.tif 000009
【図８】
0003185571.tif 000010
【図９】
0003185571.tif 000011